(57)【要約】【課題】紙製衛生物品の保管を適正に行うことともに、より開封し易い包装袋を提供する。【解決手段】ロール紙Ｒを収容する袋本体部１０を備える包装袋１００であって、袋本体部は、上下方向に略直交する方向に直線状に引き裂かれる性質を有するとともに、ガスバリア性を有する包装用フィルムＦから成形されてなり、上下方向に略直交する方向に延在する直線状の切れ目を有する第１のノッチ５１が形成されている。【選択図】図１
2017178431.tif 000002
【特許請求の範囲】
【請求項１】
紙製衛生物品を収容する袋本体部を備える包装袋であって、
前記袋本体部は、
一方向に直線状に引き裂かれる性質を有するとともに、ガスバリア性を有するフィルムから成形されてなり、前記一方向に延在する直線状の切れ目を有するノッチが形成されていることを特徴とする包装袋。
【請求項２】
前記袋本体部の一端側には、前記フィルムの対向する面同士を接合して形成された把手部が設けられ、
前記ノッチは、前記袋本体部の前記把手部側に形成されていることを特徴とする請求項１に記載の包装袋。
【請求項３】
前記袋本体部の一端部には、前記フィルムがガゼット折りされたガゼット折部が設けられ、
前記把手部は、前記ガゼット折部を形成する前記フィルムの対向する面同士を接合することで形成され、
前記ガゼット折部における前記フィルムが折り込まれていない一面の前記把手部側に、第１のノッチが形成されていることを特徴とする請求項２に記載の包装袋。
【請求項４】
前記第１のノッチは、前記袋本体部の前記一方向に略直交する他方向の略等しい位置に離間して複数形成されていることを特徴とする請求項３に記載の包装袋。
【請求項５】
前記ガゼット折部における前記一面と隣合い、前記フィルムが折り込まれている他面の前記把手部側に、第２のノッチが形成され、
前記第１のノッチと前記第２のノッチは、前記一方向に略直交する他方向の位置が略等しくなっていることを特徴とする請求項３又は４に記載の包装袋。
【請求項６】
前記一方向は、上下方向に略直交する方向であることを特徴とする請求項１〜５の何れか一項に記載の包装袋。
【発明の詳細な説明】
【技術分野】
【０００１】
本発明は、例えば、トイレットペーパーなどのロール紙又はティッシュペーパー用カートン等の紙製衛生物品を包装した包装袋に関する。
【背景技術】
【０００２】
従来、例えば、トイレットペーパーや紙管に香料を付与して香り付きとした紙製衛生物品をフィルムで包装した包装体が知られている（例えば、特許文献１参照）。
この包装体に用いられるフィルムとしては、ポリエチレンフィルムやポリプロピレンフィルムなどが一般的であるが、これらのフィルムは、ガスバリア性という観点からは好ましくなく、製品化後の出荷前保管時、出荷後の倉庫保管時、店頭陳列時等に、香料がフィルムを透過して外部に漏れてしまう。
そこで、ガスバリア性樹脂フィルムを用いて紙製衛生物品を包装したものが提案されている（例えば、特許文献２参照）。
【先行技術文献】
【特許文献】
【０００３】
【特許文献１】特開２０１４−２２３９２１号公報
【特許文献２】特開２０１５−６３３１６号公報
【発明の概要】
【発明が解決しようとする課題】
【０００４】
ところで、包装袋を開封し易くするためにミシン目を形成したものもあるが、ミシン目の切れ目数の増加に伴って包装袋をより開封し易くなるものの、ミシン目から香料が漏れ易くなってしまうといった問題がある。また、切れ目の大きさによっては、虫などの異物が混入してしまう虞もある。
【０００５】
そこで、本発明の課題は、紙製衛生物品の保管を適正に行うことができるとともに、より開封し易い包装袋を提供することである。
【課題を解決するための手段】
【０００６】
上記課題を解決するため、請求項１に記載の発明は、
紙製衛生物品を収容する袋本体部を備える包装袋であって、
前記袋本体部は、
一方向に直線状に引き裂かれる性質を有するとともに、ガスバリア性を有するフィルムから成形されてなり、前記一方向に延在する直線状の切れ目を有するノッチが形成されていることを特徴としている。
【０００７】
請求項２に記載の発明は、請求項１に記載の包装袋において、
前記袋本体部の一端側には、前記フィルムの対向する面同士を接合して形成された把手部が設けられ、
前記ノッチは、前記袋本体部の前記把手部側に形成されていることを特徴としている。
【０００８】
請求項３に記載の発明は、請求項２に記載の包装袋において、
前記袋本体部の一端部には、前記フィルムがガゼット折りされたガゼット折部が設けられ、
前記把手部は、前記ガゼット折部を形成する前記フィルムの対向する面同士を接合することで形成され、
前記ガゼット折部における前記フィルムが折り込まれていない一面の前記把手部側に、第１のノッチが形成されていることを特徴としている。
【０００９】
請求項４に記載の発明は、請求項３に記載の包装袋において、
前記第１のノッチは、前記袋本体部の前記一方向に略直交する他方向の略等しい位置に離間して複数形成されていることを特徴としている。
【００１０】
請求項５に記載の発明は、請求項３又は４に記載の包装袋において、
前記ガゼット折部における前記一面と隣合い、前記フィルムが折り込まれている他面の前記把手部側に、第２のノッチが形成され、
前記第１のノッチと前記第２のノッチは、前記一方向に略直交する他方向の位置が略等しくなっていることを特徴としている。
【００１１】
請求項６に記載の発明は、請求項１〜５の何れか一項に記載の包装袋において、
前記一方向は、上下方向に略直交する方向であることを特徴としている。
【発明の効果】
【００１２】
本発明によれば、紙製衛生物品の保管を適正に行うことができるとともに、より開封し易い包装袋を提供することができる。
【図面の簡単な説明】
【００１３】
【図１】本発明を適用した一実施形態の包装袋を示す斜視図である。
【図２】図１の包装袋の取出口が切り開かれた状態を模式的に示す斜視図である。
【発明を実施するための形態】
【００１４】
以下に、本発明について、図面を用いて具体的な態様を説明する。ただし、発明の範囲は、図示例に限定されない。
図１は、本発明を適用した一実施形態の包装袋１００を示す斜視図であり、図２は、包装袋１００の取出口３０が切り開かれた状態を模式的に示す斜視図である。
【００１５】
図１及び図２に示すように、包装袋１００は、紙製衛生物品としてのトイレットペーパー、ペーパータオルなどのロール紙Ｒを段積みして包装用フィルムＦでガゼット包装したものであり、ロール紙Ｒを収容する袋本体部１０と、この袋本体部１０の上部に設けられた把手部２０とを備えている。
なお、以下の説明では、包装袋１００の把手部２０から当該包装袋１００の載置面（底面）に亘る方向を上下方向とし、上下方向に直交する一方向を左右方向とし、上下方向及び左右方向の双方に直交する方向を前後方向とする。
【００１６】
ガゼット包装は、筒状に形成した包装用フィルムＦ内にロール紙Ｒを内包し、両端開口部が熱融着処理で封止されるものである。
熱融着処理は、例えば、一般的に160〜250℃で行われ、包装用フィルムＦは、この温度範囲での熱融着処理において特に適するものである。より具体的には、包装用フィルムＦは、ＪＩＳ  Ｚ  １７０７におけるヒートシールレンジが、圧力0.2MPa、1秒、110℃の条件において、10N/15mmであるのが好ましい。
なお、ガゼット包装の手順については、公知の方法を適用することができ、ここでは詳細な説明は省略するが、例えば、予め筒状に形成された包装用フィルムＦを、その両側部分を断面Ｍ時型になるように筒の内側に押し込んだ状態で、一方の開口部を熱融着処理等により封止して一方が閉じられた三方閉じの袋状の前駆体を形成し、次に被包装物であるロール紙Ｒをその袋内に挿入して、その後に他方の開口部を熱融着処理して封止する。
【００１７】
また、上記熱融着処理にて、何れか一方の開口部（例えば、図１にて上側となる開口部）の封止に伴って、把手部２０が形成される。すなわち、把手部２０は、熱融着処理により被包装物である複数のロール紙Ｒ、…が内包される袋部分（袋本体部１０）と分けられる余剰代の部分である。
また、把手部２０の左右方向の略中央部には、二つの指掛け穴２１、２１が形成されている。
【００１８】
包装用フィルムＦは、積層構造を有する樹脂製フィルムであり、例えば、中層と、この中層を挟む二つの外層と、中層と外層とを接着する二つの接着層とから構成されている。
【００１９】
二つの外層は、例えば、融点が150℃以下のポリエチレン樹脂層である。包装用フィルムＦの二つの外層をポリエチレン樹脂層とすることにより、包装用フィルムＦを熱融着処理により封止可能となっている。
ここで、融点が低いほうが低温で融着処理できるため好ましいが、過度に融点が低いと、例えば、熱融着時に穴があく虞があり、実質的には下限値は80℃程度である。
また、ポリエチレン樹脂層としては、具体的には、例えば、直鎖低密度ポリエチレンフィルム層（ＬＬＤＰＥ）、低密度ポリエチレンフィルム層（ＬＤＰＥ）、中密度ポリエチレンフィルム層（ＭＤＰＥ）が挙げられる。このうち、熱融着性及びコストの点で、密度0.910〜0.940g/cm3で融点が110〜120℃の直鎖低密度ポリエチレンフィルム層（ＬＬＤＰＥ）が好ましい。なお、二つの外層は、必ずしも同じ種類のポリエチレン樹脂層である必要はない。
【００２０】
中層は、例えば、融点が180℃以下のエチレン−ビニルアルコール共重合体樹脂層（ＥＶＯＨ樹脂層）である。包装用フィルムＦの中層をＥＶＯＨ樹脂層とすることにより、包装用フィルムＦ全体として、例えば、香料を付与した香り付きトイレットロールの包装に適する高いガスバリア性を確保可能となっている。
このＥＶＯＨ樹脂層を形成するための具体的な樹脂としては、公知の樹脂を使用することができる。また、市販品では、例えば、株式会社クラレ社製のエバール、日本合成化学工業株式会社製のソアノール等が挙げられる。
【００２１】
また、ＥＶＯＨ樹脂層は、包装用フィルムＦ全体としての熱融着性を向上させる上で、二つの外層のポリエチレン樹脂層の融点に近いほうが好ましく、180℃以下であるのがより好ましい。ここで、ＥＶＯＨ樹脂層は、エチレン含有率を多くすることによりある程度まで融点を下げることが可能であるが、エチレンの含有率の増加に伴ってガスバリア性を確保することが困難となり、実質的には下限値は150℃程度である。
このＥＶＯＨ樹脂層のエチレン含有率は、32mol％を上回り、且つ、48mol％を下回るのが好ましく、38mol％以上、且つ、44mol％以下がより好ましい。エチレン含有率が32mol％以下となると、包装用フィルムＦ全体としての熱融着性が低下してしまい、また、エチレン含有率が48mol％以上となると、ガスバリア性及び後述する開封性（ＴＤ方向への裂け易さ）が低下してしまうためである。
【００２２】
接着層は、例えば、酸変性されたポリオレフィン系樹脂層である。また、酸変性されたポリオレフィン系樹脂としては、具体的には、例えば、マレイン酸変性ポリプロピレン系樹脂、カルボン酸変性ポリプロピレン系樹脂、無水マレイン酸変性ポリプロピレン系樹脂等が挙げられる。
【００２３】
また、包装用フィルムＦは、酸素透過度が40cc/m3・day・atm以下であるのが好ましい。
上記した二つの外層を構成するポリエチレン樹脂層は、融点が低く熱融着性に優れるもののガスバリア性は低い性質を有しているが、包装用フィルムＦでは、二つの外層のポリエチレン樹脂層間に極めて酸素透過度の低いＥＶＯＨ樹脂層である中層を介在させることにより、酸素透過度を40cc/m3・day・atm以下とすることができる。
ここで、包装用フィルムＦの酸素透過度の下限値は、特に限定されるものではないが、例えば、コストなどトイレットロールの包装に適するフィルムであることを考慮すれば、実質的には下限値は1.0cc/m3・day・atm程度である。
なお、酸素透過度は、ＪＩＳ  Ｋ  ７１２６（Ｂ）に基づいて、23℃、65％RHの測定条件で測定した値である。
【００２４】
包装用フィルムＦは、全体の厚さが22〜45[μm]、二つの外層の厚さがそれぞれ5〜15[μm]、中層の厚さが2〜10[μm]、二つの接着層の厚さがそれぞれ2〜5[μm]程度であるのが好ましい。なお、二つの外層や接着層は、それぞれ必ずしも同じ厚さでなくとも良い。
そして、包装用フィルムＦを上記した各樹脂層の構成とし、且つ、この厚さとすることにより、ガゼット包装を行う際に包装用フィルムＦどうしが積層される部分、すなわち把手部２０を形成する場合であっても熱が十分に伝達され良好なヒートシール性が得られ、且つ、ロール紙Ｒに付与した香料が包装用フィルムＦを透過して外部に漏れ出ることが効果的に防止されるようになる。そのうえ、円筒形状のロール紙Ｒの形状に追従する適度な柔軟性と、人の手で容易に開封できつつ意図せず破れない強度をも確保することができる。
なお、包装用フォルムＦ及び各層の厚さは、例えば、断面を光学顕微鏡により測定することにより確認することができる。
【００２５】
また、包装用フィルムＦは、ＪＩＳ  Ｚ  １７０７における抗張力が、ＭＤ方向（図１における上下方向）で20〜40MPa、好ましくは25〜35MPaであり、ＴＤ方向（図１における左右方向及び前後方向）で25〜45MPa、好ましくは30〜40MPaである。また、包装用フィルムＦは、ＪＩＳ  Ｚ  １７０７における伸度が、ＭＤ方向で150〜330％、好ましくは160〜200％であり、ＴＤ方向で520〜800％、好ましくは650〜750％である。なお、抗張力及び伸度の測定は、引張速度５００[mm/min]で測定する。
さらに、包装用フィルムＦは、ＪＩＳ  Ｋ  ７１２８における引裂試験（エルメンドルフ法）における結果は、ＭＤ方向で200〜400N/cm、好ましくは250〜350N/cmであり、ＴＤ方向で100〜300N/cm、好ましくは150〜250N/cmである。
このように、包装用フィルムＦは、ＴＤ方向の方がＭＤ方向よりも引き裂き易くなっており、左右方向及び前後方向（一方向）に直線状に引き裂かれる性質を有していると言える。
【００２６】
また、包装用フィルムＦは、例えば、Ｔダイ法による共押出法、押し出しラミネート法等によって製造することができ、ガゼット包装のために筒状に形成することについては、公知の方法を適宜任意に適用可能である。
【００２７】
上記したように包装用フィルムＦは、ガスバリア性を有するとともに、上下方向に略直交する左右方向や前後方向（一方向）に直線状に引き裂かれる性質を有している。また、この包装用フィルムＦから成形された袋本体部１０の図１における上端側には、取出口３０（図２参照）を形成するための第１のノッチ５１と第２のノッチ５２とが形成されている。
【００２８】
すなわち、袋本体部１０の図１における上端部には、包装用フィルムＦがガゼット折りされたガゼット折部４０が設けられ、このガゼット折部４０を形成する包装用フィルムＦの対向する面同士を接合することで把手部２０が形成されている。
そして、ガゼット折部４０における包装用フィルムＦが折り込まれていない前面（一面）４１の左右方向略中央の把手部２０側に、左右方向に延在する直線状の切れ目を有する第１のノッチ５１が形成されている。また、ガゼット折部４０における前面４１と隣合い、包装用フィルムＦが折り込まれている左右の両側面（他面）４２、４２の前後方向略中央の把手部２０側に、前後方向に延在する直線状の切れ目を有する第２のノッチ５２がそれぞれ形成されている。
また、第１のノッチ５１と第２のノッチ５２は、上下方向の位置が略等しくなっている。
【００２９】
第１のノッチ５１の左右方向の長さは、例えば、3〜5[mm]が好ましい。また、各第２のノッチ５２の前後方向の長さは、同様に、例えば、3〜5[mm]が好ましい。上限を5[mm]としたのは、5[mm]より大きくなると、虫などの異物が混入してしまう虞があるためである。なお、下限については、より小さい値が好ましい。
【００３０】
また、第１のノッチ５１は、袋本体部１０の上下方向の略等しい位置に離間して複数形成されていても良い。ここで、第１のノッチ５１及び第２のノッチ５２の総数は、各ノッチの幅及び長さにもよるが、例えば、12ロールの場合、ノッチ形成用のカッターの刃厚を0.38[mm]として形成された全てのノッチの切れ目を加算した長さが55[mm]（全てのノッチにより形成される開口部の面積が20.9[mm2]）よりも小さくなるように設定されるのが好ましい。すなわち、全てのノッチの切れ目を加算した長さが55[mm]よりも大きくなると、ロール紙Ｒを香り付きのトイレットロールとした場合の保香性の評価が悪くなってしまうためである。
ここで、例えば、12ロール用の包装袋１００が上下方向342[mm]、左右方向204[mm]、前後方向204[mm]の略直方体であるとして換算すると、全てのノッチにより形成される開口部の面積は、包装袋１００の表面積（362304[mm2]）に対して0.0058％よりも小さくなるのが好ましい。なお、ノッチ形成用のカッターの刃厚は、例えば、0.1〜0.7[mm]の範囲内で適宜任意に変更可能であり、仮に、カッターの刃厚を0.1[mm]とすると全てのノッチの切れ目を加算した長さが209[mm]となり、カッターの刃厚を0.7[mm]とすると全てのノッチの切れ目を加算した長さが29.9[mm]となる。
【００３１】
紙製衛生物品としては、例えば、トイレットペーパー、ペーパータオルなどのロール紙Ｒを例示して説明するが、一例であってこれらに限られるものではなく、ティッシュペーパーが収納されたカートン、紙おむつ、吸収性パッド、生理用品などの吸収性物品等を適用しても良い。
また、袋本体部１０には、例えば、12個のトイレットペーパーのロール紙Ｒが収容され、具体的には、1段4個のトイレットペーパーのロール紙Ｒを3段積みして収容されている。なお、ロール紙Ｒの包装数は、一例であってこれらに限られるものではなく、適宜任意に変更可能である。
【００３２】
ロール紙Ｒは、紙管に帯状のトイレットペーパーを巻きつけた芯有りのトイレットロールであっても良いし、コアレスとも称される芯無しトイレットロールであっても良い。また、ロール紙Ｒの大きさは、特に限定されるものではないが、例えば、高さ（幅）が100〜120[mm]、巻径（ロール径）が100〜120[mm]、芯径が10〜48[mm]、巻長が20〜100[m]のものが一般的である。
【００３３】
ロール紙Ｒを構成するトイレットペーパーも、特に限定されるものではないが、例えば、プライ数が1〜3プライ、全体での紙厚100〜360[μm]、米坪が1プライ当り11〜25g/m2の範囲のものである。
なお、米坪は、ＪＩＳ  Ｐ  ８１２４（１９９８）の米坪測定方法によるものである。また、紙厚は、ＪＩＳ  Ｐ  ８１１１（１９９８）の条件下で十分に調湿した後、同条件下でダイヤルシックネスゲージ（厚み測定器）「ＰＥＡＣＯＣＫ  Ｇ型」（尾崎製作所製）を用いて５回測定した平均値をいう。
【００３４】
また、ロール紙Ｒは、香料が付与された香り付きのトイレットロールである。香料を付着させる位置としては、例えば、トイレットペーパーの表裏面、紙管等が挙げられる。
香料は、天然系或いは合成系の香料を用いることができる。この香料としては、具体的には、例えば、レモン油、グレープフルーツ油、ローズマリー油、ペパーミント油、マンダリン油、ライム油、ユズ油、カモミール油、ラベンダー油、ローズ油、スペアミント油等の天然香料類や、リナロール、シトロネロール、メントール、ゲラニオール等のアルコール類等の合成香料などが挙げられる。これらは単独で用いても良いし、複数を組み合わせて調合香料として用いても良い。
なお、香料は、香気の強さや揮散性の調整のために適宜ジプロピレングリコール、パラフィンオイル等の鉱物油、ヒマシ油、大豆油の植物油を用いて希釈しても良い。
【００３５】
次に、包装袋１００の開封方法について説明する。
使用者は、包装用フィルムＦのガゼット折部４０の前面４１の第１のノッチ５１に指等を掛け、袋本体部１０側を固定した状態で上方向、より具体的には、斜め後ろ方向に引っ張り上げる。これにより、包装用フィルムＦのガゼット折部４０の前面４１が第１のノッチ５１から左右方向に切り開かれていく。つまり、第１のノッチ５１の切れ目がガゼット折部４０の左右の両側面４２、４２に至るように左右方向に拡大していく。
そして、ガゼット折部４０の左右の両側面４２、４２では、ガゼット折部４０の前面４１にて切り開かれている部分と上下方向に略等しい位置で前から後ろに切り開かれていき、この側面４２が切り開かれることで形成された切れ目が第２のノッチ５２の前端部と繋がると、当該第２のノッチ５２の後端部からガゼット折部４０の後面に至るまで包装用フィルムＦが切り開かれていく。
これにより、ガゼット折部４０の前面４１並びに左右の両側面４２、４２が切り開かれて取出口３０が形成された状態となる（図２参照）。
【実施例１】
【００３６】
以下、本発明の実施例及び比較例について説明する。
【００３７】
＜ノッチ数の検討＞
ノッチ数に応じた保香性について、以下の実施例１〜５及び比較例１〜３を参照して説明する。
【００３８】
（包装袋）
1段4個のトイレットロールを3段積みしたものを包装用フィルムで包装して、試験に用いた。
包装袋のサイズ：上下方向342[mm]、左右方向204[mm]、前後方向204[mm]
包装用フィルム：中層を接着層を介して二つの外層で挟んだ積層構造、全体厚さ27[mm]
中層：ＥＶＯＨ樹脂層、厚さ3[μm]
外層：ポリエチレン樹脂層、厚さ9[μm]
ＥＶＯＨ樹脂層の割合：11％
エチレン含有率：38mol％
接着層：無水マレイン酸変性ポリプロピレン系樹脂層、厚さ3[μm]
【００３９】
（ノッチ）
ノッチ数：1＜実施例１＞、3＜実施例２＞、5＜実施例３＞、7＜実施例４＞、9＜実施例５＞、11＜比較例１＞、13＜比較例２＞、15＜比較例３＞
包装袋のガゼット折部の前面並びに左右の両側面に、以下の個数でノッチを形成した。
前面に1個＜実施例１＞、前面に1個と左右の両側面に1個ずつ＜実施例２＞、前面に1個と左右の両側面に2個ずつ＜実施例３＞、前面に3個と左右の両側面に2個ずつ＜実施例４＞、前面に3個と左右の両側面に3個ずつ＜実施例５＞、前面に3個と左右の両側面に4個ずつ＜比較例１＞、前面に5個と左右の両側面に4個ずつ＜比較例２＞、前面に5個と左右の両側面に5個ずつ＜比較例３＞
各ノッチの長さ：5[mm]
各面にて隣合うものと間隔：5[mm]
ノッチ形成用のカッターの刃厚：0.38[mm]
【００４０】
（トイレットロール）
サイズ：高さ114[mm]、巻径106[mm]、芯径41[mm]
トイレットペーパー：2プライ、紙厚135[μm]、1プライ当りの米坪14.5[g/m2]
【００４１】
（保香性の試験）
香料（小川香料株式会社：フルーティフローラルＢＲ２４８９１）を各トイレットロールに0.06g付与し、香り付きのトイレットロール12個を包装用フィルムで包装した。温度50℃、湿度50％の条件下で24時間静置し、その後に開封して、トイレットロールの香りが残っているか否かを５人の評価者により官能評価した。
【００４２】
【表１】
2017178431.tif 000003
【００４３】
表１中、保香性の欄の、○は５人全員が「しっかり香る」を示し、△は１人以上が「香りがやや弱い」を示し、×は１人以上が「香りが弱い」を示している。
【００４４】
［評価］
ノッチ数が9個（全ての切れ目を加算した長さが45[mm]）まででは（実施例１〜５参照）、香りが十分に残っていた。一方、ノッチ数を11個（全ての切れ目を加算した長さが55[mm]）以上とすると（比較例１〜３参照）、香りが低下し、ノッチ数が13個（全ての切れ目を加算した長さが65[mm]）以上では（比較例２、３参照）、香りが弱くなった。
【００４５】
＜ＥＶＯＨ樹脂層のエチレン含有率の検討＞
ＥＶＯＨ樹脂層のエチレン含有率の検討試験について、以下の実施例１１〜１６及び比較例１１〜２２を参照して説明する。
【００４６】
（包装袋）
1段4個のトイレットロールを3段積みしたものを包装用フィルムで包装して、試験に用いた。
包装袋のサイズ：上下方向342[mm]、左右方向204[mm]、前後方向204[mm]
包装用フィルム：中層を接着層を介して二つの外層で挟んだ積層構造
全体厚さ：26[μm]＜実施例１１、１４、比較例１１、１４、１７、２０＞、27[mm]＜実施例１２、１５、比較例１２、１５、１８、２１＞、30[mm]＜実施例１３、１６、比較例１３、１６、１９、２２＞
外層：ポリエチレン（ＰＥ）樹脂層、厚さ8.5[μm]＜実施例１１、１４、比較例１１、１４＞、厚さ9[μm]＜実施例１２、１５、比較例１２、１５、１８＞、厚さ9.5[μm]＜実施例１３、１６、比較例１３、１６、１９、２２＞、厚さ7.5[μm]＜比較例１７、２０＞、厚さ8[μm]＜比較例２１＞
中層：ＥＶＯＨ樹脂層、厚さ3[μm]＜実施例１１、１２、１４、１５、比較例１１、１２、１４、１５、１８＞、厚さ5[μm]＜実施例１３、１６、比較例１３、１６、１７、１９〜２２＞
ＥＶＯＨ樹脂層の割合：12％＜実施例１１、１４、比較例１１、１４＞、11％＜実施例１２、１５、比較例１２、１５、１８＞、17％＜実施例１３、１６、比較例１３、１６、１９、２２＞、19％＜比較例１７、２０、２１＞
エチレン含有率：32mol％＜比較例１７〜１９＞、38mol％＜実施例１４〜１６、比較例１４〜１６＞、44mol％＜実施例１１〜１３、比較例１１〜１３＞、48mol％＜比較例１９〜２２＞
接着層：無水マレイン酸変性ポリプロピレン系樹脂層、厚さ3[μm]
【００４７】
（ノッチ）
包装袋のガゼット折部の前面の左右方向の略中央に、長さ5[mm]のノッチを形成した。
ノッチ数：1＜実施例１１〜１６、比較例１７〜２２＞、0＜比較例１１〜１６＞
ノッチ形成用のカッターの刃厚：0.38[mm]
【００４８】
（トイレットロール）
サイズ：高さ114[mm]、巻径106[mm]、芯径41[mm]
トイレットペーパー：2プライ、紙厚135[μm]、1プライ当りの米坪14.5[g/m2]
【００４９】
（保香性の試験）
香料（小川香料株式会社：フルーティフローラルＢＲ２４８９１）を各トイレットロールに0.06g付与し、香り付きのトイレットロール12個を包装用フィルムで包装した。温度50℃、湿度50％の条件下で24時間静置し、その後に開封して、トイレットロールの香りが残っているか否かを５人の評価者により官能評価した。
【００５０】
（熱融着性の試験）
ガゼット包装した際のヒートシールが良好であるか、シール面を剥がす際に、接着面が破れることなく、直ぐに剥がれるか、穴がないか等の不良を目視にて確認した。このときのヒートシール温度は110℃とした。
【００５１】
（開封性の試験）
ノッチに指をかけて、このノッチから包装用フィルムが左右方向に引き裂かれていくようにして包装袋を開封した。このときの開封のし易さを５人の評価者により官能評価した。
【００５２】
（開封後のフィルム形状の試験）
包装袋を開封後の包装用フィルムの端部の形状がまっすぐであるか、伸び縮みなどの不良を目視にて確認した。
【００５３】
【表２】
2017178431.tif 000004
【００５４】
表２中、保香性の欄の、○は５人全員が「しっかり香る」を示し、×は１人以上が「香りが弱い」を示している。
また、熱融着性の欄の、○はヒートシールが良好に行われたことを示し、×はヒートシールが一部十分でないなどの不良が認められたことを示している。
また、開封性の欄の、○は５人全員が容易に開封できたことを示し、×は１人以上が開封できなかったことを示している。
また、開封フィルム形状の欄の、○は包装用フィルムの端部がまっすぐであることを示し、×は包装用フィルムの端部に伸び縮みなどの不良が認められたことを示している。
【００５５】
［評価］
ＥＶＯＨ樹脂層のエチレン含有率を32mol％とすると（比較例１７〜１９参照）、包装用フィルム全体の厚さに拘わらず、ヒートシールの不良が認められた。また、エチレン含有率を48mol％とすると（比較例２０〜２２参照）、包装用フィルム全体の厚さに拘わらず、ノッチを形成しても、開封し難く、開封後の包装用フィルムの端部の形状に不良が認められた。
これにより、ＥＶＯＨ樹脂層のエチレン含有率は、32mol％を上回り、且つ、48mol％を下回るのが好ましいと考えられ、エチレン含有率を38mol％とした場合（実施例１４〜１６参照）や44mol％とした場合（実施例１１〜１３参照）では、包装用フィルム全体の厚さに拘わらず、ノッチを形成しても香りが十分に残っており、また、開封し易く、且つ、開封後の包装用フィルムの端部がまっすぐであった。
なお、エチレン含有率を38mol％や44mol％としても、ノッチを形成しない場合には（比較例１１〜１６参照）、包装用フィルム全体の厚さに拘わらず、開封し難かった。
【００５６】
以上のように、本実施形態の包装袋１００によれば、袋本体部１０は、上下方向に略直交する左右方向や前後方向に直線状に引き裂かれる性質を有するとともに、ガスバリア性を有する包装用フィルムＦから成形されてなり、上下方向に略直交する方向に延在する直線状の切れ目を有するノッチ（例えば、第１のノッチ５１等）が形成されているので、このノッチから包装用フィルムＦが上下方向に略直交する方向に切り開かれていくことで取出口３０を容易に形成することができる。
具体的には、袋本体部１０の上端部には、包装用フィルムＦがガゼット折りされたガゼット折部４０が設けられ、このガゼット折部４０を形成する包装用フィルムＦの対向する面同士を接合することで把持部２０が形成され、ガゼット折部４０における包装用フィルムＦが折り込まれていない前面４１の把手部２０側に、左右方向に延在する直線状の切れ目を有する第１のノッチ５１が形成されているので、包装用フィルムＦが第１のノッチ５１から左右方向に切り開かれ、第１のノッチ５１の切れ目がガゼット折部４０の左右の両側面４２、４２に至るように左右方向に拡大していく。また、ガゼット折部４０における包装用フィルムＦが折り込まれている左右の両側面４２、４２の把手部２０側に、第１のノッチ５１と上下方向の位置を略等しくして、前後方向に延在する直線状の切れ目を有する第２のノッチ５２がそれぞれ形成されているので、左右の両側面４２、４２では、ガゼット折部４０の前面４１にて切り開かれている部分と上下方向に略等しい位置で前から後ろに切り開かれていき、第２のノッチ５２を通ってガゼット折部４０の後面に至るまで切り開かれていく。このようにして、ガゼット折部４０の前面４１並びに左右の両側面４２、４２が切り開かれて取出口３０を形成することができる。
また、取出口３０が形成されていないロール紙Ｒの保管状態にて、ミシン目が形成されている従来のものに比べて、虫などの異物の混入を適正に抑制することができるだけでなく、例えば、紙製衛生物品が香り付きのトイレットロールなどの香料が付与されたものであっても、香料を漏れ難くすることができる。
したがって、ロール紙Ｒの保管を適正に行うことができるとともに、より開封し易い包装袋１００を提供することができる。
【００５７】
なお、本発明は、上記実施形態に限定されることなく、本発明の趣旨を逸脱しない範囲において、種々の改良並びに設計の変更を行っても良い。
例えば、上記実施形態にあっては、包装用フィルムＦに第１のノッチ５１及び第２のノッチ５２が形成されたものを例示したが、一例であってこれに限られるものではなく、必ずしも両方のノッチが形成されている必要はない。すなわち、包装用フィルムＦには、第１のノッチ５１及び第２のノッチ５２のうち、何れか一方のノッチ（例えば、第１のノッチ５１等）が形成されていれば良い。
【００５８】
また、上記実施形態で例示した包装用フィルムＦは、一例であってこれに限られるものではなく、包装用フィルムＦのヒートシール性等を損なわない範囲で適宜任意に変更可能である。例えば、外層と中層とを一体化するための架橋剤層などの積層構造のフィルムをより効果的に一体化構造とするために用いられる層を設けることができる。
【００５９】
さらに、上記実施形態では、袋本体部１０に、略等しい形状の複数のロール紙Ｒ、…（紙製衛生物品）が上下方向に積載されるとともに、左右方向及び前後方向（直交方向）に並んで収容されたものを例示したが、複数のロール紙Ｒ、…の収容態様は一例であってこれに限られるものではなく、適宜任意に変更可能である。即ち、必ずしも複数のロール紙Ｒ、…を上下方向に積載する必要はなく、また、同様に、必ずしも複数のロール紙Ｒ、…を左右方向や前後方向に並べる必要はない。
【００６０】
また、上記実施形態では、上下方向に略直交する左右方向や前後方向を一方向とし、上下方向を他方向としたが、一例であってこれに限られるものではなく、適宜任意に変更可能である。
【符号の説明】
【００６１】
１００  包装袋
１０    袋本体部
２０    把持部
３０    取出口
４０    ガゼット折部
４１    前面（一面）
４２    側面（他面）
５１    第１のノッチ
５２    第２のノッチ
Ｒ      ロール紙（紙製衛生物品）
【図１】
2017178431.tif 000005
【図２】
2017178431.tif 000006
【手続補正書】
【提出日】平成29年5月30日(2017.5.30)
【手続補正１】
【補正対象書類名】明細書
【補正対象項目名】０００６
【補正方法】変更
【補正の内容】
【０００６】
以上の課題を解決するため、
請求項１に記載の発明は、香料を含有する紙製衛生物品を収容する袋本体部を備える包装袋であって、
前記袋本体部は、
一方向に直線状に引き裂かれる性質を有するとともに、ガスバリア性を有するフィルムから成形されてなり、前記一方向に延在する直線状の切れ目を有するノッチが形成され、
前記袋本体部の一端側には、前記フィルムの対向する面同士を接合して形成された把手部が設けられ、
前記ノッチは、前記袋本体部の前記把手部側に形成され、
前記袋本体部の一端部には、前記フィルムがガゼット折りされたガゼット折部が設けられ、
前記把手部は、前記ガゼット折部を形成する前記フィルムの対向する面同士を接合することで形成され、
前記ガゼット折部における前記フィルムが折り込まれていない一面の前記把手部側に、第１のノッチが形成され、
前記ガゼット折部における前記一面と隣合い、前記フィルムが折り込まれている他面の前記把手部側に、前記第１のノッチと離間した位置に第２のノッチが形成され、
前記第１のノッチと前記第２のノッチは、前記一方向に略直交する他方向の位置が略等しくなっており、
前記一方向は、上下方向に略直交する方向であることを特徴とする。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
請求項２に記載の発明は、請求項１に記載の包装袋において、
前記第１のノッチは、前記袋本体部の前記一方向に略直交する他方向の略等しい位置に離間して複数形成されていることを特徴としている。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】特許請求の範囲
【補正対象項目名】全文
【補正方法】変更
【補正の内容】
【特許請求の範囲】
【請求項１】
香料を含有する紙製衛生物品を収容する袋本体部を備える包装袋であって、
前記袋本体部は、
一方向に直線状に引き裂かれる性質を有するとともに、ガスバリア性を有するフィルムから成形されてなり、前記一方向に延在する直線状の切れ目を有するノッチが形成され、
前記袋本体部の一端側には、前記フィルムの対向する面同士を接合して形成された把手部が設けられ、
前記ノッチは、前記袋本体部の前記把手部側に形成され、
前記袋本体部の一端部には、前記フィルムがガゼット折りされたガゼット折部が設けられ、
前記把手部は、前記ガゼット折部を形成する前記フィルムの対向する面同士を接合することで形成され、
前記ガゼット折部における前記フィルムが折り込まれていない一面の前記把手部側に、第１のノッチが形成され、
前記ガゼット折部における前記一面と隣合い、前記フィルムが折り込まれている他面の前記把手部側に、前記第１のノッチと離間した位置に第２のノッチが形成され、
前記第１のノッチと前記第２のノッチは、前記一方向に略直交する他方向の位置が略等しくなっており、
前記一方向は、上下方向に略直交する方向であることを特徴とする包装袋。
【請求項２】
前記第１のノッチは、前記袋本体部の前記一方向に略直交する他方向の略等しい位置に離間して複数形成されていることを特徴とする請求項１に記載の包装袋。
【手続補正書】
【提出日】平成29年8月1日(2017.8.1)
【手続補正１】
【補正対象書類名】明細書
【補正対象項目名】０００６
【補正方法】変更
【補正の内容】
【０００６】
以上の課題を解決するため、
請求項１に記載の発明は、香料を含有する紙製衛生物品を収容する袋本体部を備える包装袋であって、
前記袋本体部は、
一方向に直線状に引き裂かれる性質を有するとともに、ガスバリア性を有するフィルムから成形されてなり、前記一方向に延在する直線状の切れ目を有するノッチが形成され、
前記袋本体部の一端側には、前記フィルムの対向する面同士を接合して形成された把手部が設けられ、
前記ノッチは、前記袋本体部の前記把手部側に形成され、
前記袋本体部の一端部には、前記フィルムがガゼット折りされたガゼット折部が設けられ、
前記把手部は、前記ガゼット折部を形成する前記フィルムの対向する面同士を接合することで形成され、
前記ガゼット折部における前記フィルムが折り込まれていない一面の前記把手部側に、前記一方向の端部付近を避けた位置に第１のノッチが形成され、
前記ガゼット折部における前記一面と隣合い、前記フィルムが折り込まれている他面の前記把手部側に、前記一方向の端部付近を避け、前記第１のノッチと離間した位置に第２のノッチが形成され、
前記第１のノッチと前記第２のノッチは、前記一方向に略直交する他方向の位置が略等しくなっており、
前記一方向は、上下方向に略直交する方向であることを特徴としている。
【手続補正２】
【補正対象書類名】明細書
【補正対象項目名】０００９
【補正方法】変更
【補正の内容】
【０００９】
請求項２に記載の発明は、請求項１に記載の包装袋において、
前記第１のノッチは、前記袋本体部の前記一方向に略直交する他方向の略等しい位置に離間して複数形成されていることを特徴としている。
請求項３に記載の発明は、請求項１又は２に記載の包装袋において、
前記ノッチの全ての切れ目を加算した長さが４５ｍｍ以下であることを特徴としている。
請求項４に記載の発明は、請求項１から３のいずれか一項に記載の包装袋において、
前記フィルムはエチレン−ビニルアルコール共重合体樹脂層を有し、
前記エチレン−ビニルアルコール共重合体樹脂層は、エチレン含有率が、３２ｍｏｌ％を上回り、４８ｍｏｌ％を下回ることを特徴としている。
【手続補正３】
【補正対象書類名】明細書
【補正対象項目名】００２３
【補正方法】変更
【補正の内容】
【００２３】
また、包装用フィルムＦは、酸素透過度が40cc/m2・day・atm以下であるのが好ましい。
上記した二つの外層を構成するポリエチレン樹脂層は、融点が低く熱融着性に優れるもののガスバリア性は低い性質を有しているが、包装用フィルムＦでは、二つの外層のポリエチレン樹脂層間に極めて酸素透過度の低いＥＶＯＨ樹脂層である中層を介在させることにより、酸素透過度を40cc/m2・day・atm以下とすることができる。
ここで、包装用フィルムＦの酸素透過度の下限値は、特に限定されるものではないが、例えば、コストなどトイレットロールの包装に適するフィルムであることを考慮すれば、実質的には下限値は1.0cc/m2・day・atm程度である。
なお、酸素透過度は、ＪＩＳ  Ｋ  ７１２６（Ｂ）に基づいて、23℃、65％RHの測定条件で測定した値である。
【手続補正４】
【補正対象書類名】特許請求の範囲
【補正対象項目名】全文
【補正方法】変更
【補正の内容】
【特許請求の範囲】
【請求項１】
香料を含有する紙製衛生物品を収容する袋本体部を備える包装袋であって、
前記袋本体部は、
一方向に直線状に引き裂かれる性質を有するとともに、ガスバリア性を有するフィルムから成形されてなり、前記一方向に延在する直線状の切れ目を有するノッチが形成され、
前記袋本体部の一端側には、前記フィルムの対向する面同士を接合して形成された把手部が設けられ、
前記ノッチは、前記袋本体部の前記把手部側に形成され、
前記袋本体部の一端部には、前記フィルムがガゼット折りされたガゼット折部が設けられ、
前記把手部は、前記ガゼット折部を形成する前記フィルムの対向する面同士を接合することで形成され、
前記ガゼット折部における前記フィルムが折り込まれていない一面の前記把手部側に、前記一方向の端部付近を避けた位置に第１のノッチが形成され、
前記ガゼット折部における前記一面と隣合い、前記フィルムが折り込まれている他面の前記把手部側に、前記一方向の端部付近を避け、前記第１のノッチと離間した位置に第２のノッチが形成され、
前記第１のノッチと前記第２のノッチは、前記一方向に略直交する他方向の位置が略等しくなっており、
前記一方向は、上下方向に略直交する方向であることを特徴とする包装袋。
【請求項２】
前記第１のノッチは、前記袋本体部の前記一方向に略直交する他方向の略等しい位置に離間して複数形成されていることを特徴とする請求項１に記載の包装袋。
【請求項３】
前記ノッチの全ての切れ目を加算した長さが４５ｍｍ以下であることを特徴とする請求項１又は２に記載の包装袋。
【請求項４】
前記フィルムはエチレン−ビニルアルコール共重合体樹脂層を有し、
前記エチレン−ビニルアルコール共重合体樹脂層は、エチレン含有率が、３２ｍｏｌ％を上回り、４８ｍｏｌ％を下回ることを特徴とする請求項１から３のいずれか一項に記載の包装袋。